(57)【要約】【課題】画像形成体上に複数の画像を重ねて多色画像を得る際に、画像形成の高速化を図り、且つ十分な露光々量を保持して色再現性を向上すると共に、モアレの目立ち難い高画質を得る。又現像装置内での混色を防止し現像剤を長寿命化する。【解決手段】第１の感光体ドラム１１に形成するマゼンタ（Ｍ）とブラック（ＢＫ）のスクリーン角度を同一の０°とし又両者の網点をずらす。第２の感光体ドラム２１に形成するイエロー（Ｙ）とシアン（Ｃ）のスクリーン角度を同一の１５°とし両者の網点をずらす。各感光体ドラム１１、２１上の２色トナー画像を中間転写ローラ３０、３１を介し、用紙Ｐ上で重ねて４色のフルカラートナー画像を得る。【選択図】　図８
2004122383.tif 000002
【特許請求の範囲】
【請求項１】
複数の画像形成体上に形成される画像を被転写材に多重転写して多色画像を得る画像形成方法において、
同一の前記画像形成体上に形成する複数色の前記画像のスクリーン角度を同一とし、
前記複数の画像形成体の、各画像形成体毎に、前記画像のスクリーン角度差を設けることを特徴とする画像形成方法。
【請求項２】
前記複数の画像形成体が、第１の画像形成体と第２の画像形成体からなり、
前記第１の画像形成体上に、第１色の色剤による第１の画像と第２色の色剤による第２の画像とを第１のスクリーン角度で多重形成し、
前記第２の画像形成体上に、第３色の色剤による第３の画像と第４色の色剤による第４の画像とを前記第１のスクリーン角度と異なる第２のスクリーン角度で多重形成することを特徴とする請求項１記載の画像形成方法。
【請求項３】
前記第１の画像形成体上で、前記第１の画像と前記第２の画像の網点位置を平行移動し、前記第２の画像形成体上で、前記第３の画像と前記第４の画像の網点位置を平行移動することを特徴とする請求項２記載の画像形成方法。
【請求項４】
前記第１の画像形成体上で、前記第１の画像と前記第２の画像の網点位置を一致させ、前記第２の画像形成体上で、前記第３の画像と前記第４の画像の網点位置を一致させることを特徴とする請求項２記載の画像形成方法。
【請求項５】
前記複数の画像形成体上に形成される前記画像の前記被転写材への多重転写を圧力転写方式で行うことを特徴とする請求項１記載の画像形成方法。
【請求項６】
前記画像形成体が静電荷保持部材からなり、前記色剤が前記静電荷保持部材に形成される静電潜像に付着する現像剤であることを特長とする請求項１記載の画像形成方法。
【請求項７】
複数の画像形成体上に形成される画像を被転写材に多重転写して多色画像を得る画像形成方法において、
前記複数の画像形成体上に形成する複数色の前記画像のスクリーン角度を同一とすることを特徴とする画像形成方法。
【請求項８】
前記複数の画像形成体が、第１の画像形成体と第２の画像形成体からなり、
前記第１の画像形成体上に、第１色の色剤による第１の画像と第２色の色剤による第２の画像とを第１のスクリーン角度で多重形成し、
前記第２の画像形成体上に、第３色の色剤による第３の画像と第４色の色剤による第４の画像とを前記第１のスクリーン角度で多重形成することを特徴とする請求項７記載の画像形成方法。
【請求項９】
前記第１の画像形成体上で、前記第１の画像と前記第２の画像の網点位置を平行移動し、前記第２の画像形成体上で、前記第３の画像と前記第４の画像の網点位置を平行移動することを特徴とする請求項８記載の画像形成方法。
【請求項１０】
前記第１の画像形成体上で、前記第１の画像と前記第２の画像の網点位置を一致させ、前記第２の画像形成体上で、前記第３の画像と前記第４の画像の網点位置を一致させることを特徴とする請求項８記載の画像形成方法。
【請求項１１】
前記複数の画像形成体に形成される前記画像の前記被転写材への多重転写を圧力転写方式で行うことを特徴とする請求項７記載の画像形成方法。
【請求項１２】
前記画像形成体が静電荷保持部材からなり、前記色剤が前記静電荷保持部材に形成される静電潜像に付着する現像剤であることを特長とする請求項１記載の画像形成方法。
【発明の詳細な説明】
【０００１】
【発明の属する技術分野】
本発明は、同一画像形成体上に複数色の色剤を色重ねしてカラー画像を形成する画像形成方法に関する。
【０００２】
【従来の技術】
カラー画像を得る画像形成装置にあっては、その装置の小型化、プロセス速度の高速化あるいは高精度の色重ねを達成するために、従来例えば電子写真装置にあっては１つの感光体上に、色剤であるイエロー（Ｙ）、マゼンタ（Ｍ）、シアン（Ｃ）、ブラック（ＢＫ）の４色のトナーによるトナー画像を色重ねしてフルカラー画像を得る画像形成装置がある。この１つの感光体を用いる画像形成装置としては、トナーの色毎に、順次感光体に帯電工程、露光工程、現像工程を繰り返して、得られたカラートナー画像を感光体上で色重ねして、その後一括して転写体に転写するプロセス（Ｉｍａｇｅ　ｏｎ　Ｉｍａｇｅプロセス、以下ＩＯＩと呼ぶ）によりフルカラー画像を得ている装置がある（例えば、特許文献１参照。）。
【０００３】
一方一般に複数色のトナー画像を色重ねする場合に、トナー画像をドット集中型のディザ、いわゆる網点を用いて形成すると、複数トナーによる干渉模様であるモアレを生じてしまう。このモアレを低減するため、従来は、ディザリング処理方法として、色毎に網点のスクリーン角度を変えて色重ねする方法がある（例えば、非特許文献１参照。）。
【０００４】
【特許文献１】
特許第２８６０１０２号明細書（第４頁、第１図）
【非特許文献１】
市川　康憲　編、「イメージング　Ｐａｒｔ１」日本、写真工業出版社、昭和６３年１月２０日発行、ｐ３５（河村　尚登　著）
しかしながら例えば（特許文献１）では、単一感光体上に複数色のトナー画像を色重ねすると、先行して感光体上に形成したトナー画像が次の現像時以降に脱落して現像器内に混入する、いわゆる混色を起こす可能性が大きいので、長期間にわたる画像出力にたえない場合が多いという問題を生じる。
【０００５】
又単一感光体に色重ねすると、２色目以降のトナー画像は既に形成したトナー画像の上から帯電・露光・現像の画像形成工程を実施して、次の色のトナー画像を形成することになる。このため例えば粉体トナーを用いてカラー画像を得る画像形成装置の場合には、トナー層の光透過性が低いことから、２色目以降画像形成工程において、十分な露光々量を得られない。この露光々量の低下を解決するために、赤外領域の露光系を用いたり、露光パワーを非常に大きくしたりする必要があった。特にフルカラー４色のトナー画像を単一の感光体上で重ねる場合には、最大３色のトナー層を重ねた上から４色目の露光々を照射しなければならず、露光パワーを増大しても十分な色再現が得られないという問題を有している。
【０００６】
更に液体現像剤を用いてカラー画像を得る画像形成装置の場合には、サブミクロンサイズの極めて微細なトナー粒子を用いることから、粉体トナーを用いる場合に比しトナー画像を色重ねした上からの露光々の吸収が少なく、フルカラー画像の色再現性に優位ではあるものの、既にトナー層が形成された上から露光工程を行うということは、多少の露光々量の低下は避けられず、より良好な色再現性による高画質の画像を得るには先行して形成されたトナー層が極力薄いことが望まれる。
【０００７】
しかも色重ねをする場合には、既にトナー画像が形成される感光体上に行う露光・現像特性と、裸の感光体上における露光・現像特性が異なる、いわゆるカラートラッピング現象が起こり得る。これは既に感光体上にトナー画像が形成されている場合には、露光不良と共に、トナー画像上に色重ねするトナーが着き難かったりあるいは付きすぎてしまい、色再現性が著しく損なわれるという問題を有している。
【０００８】
又液体現像剤を用いて得られる感光体上のトナー画像を非電界転写プロセスである、例えば圧力転写方式で被転写媒体である中間転写媒体や記録媒体に転写する場合には、トナー画像中に含まれる余剰のキャリア溶媒を転写前にほぼ完全に取り除く必要がある。この余剰のキャリア溶媒の除去に要する時間は、トナー画像の厚みに応じて増加するので単一感光体上に４色が重なったフルカラートナー画像を形成すると、余剰のキャリア溶媒の乾燥に時間を要し、高速化を妨げていた。
【０００９】
さらに圧力転写方式の場合、被転写媒体とトナー画像との密着性が転写特性に影響を及ぼす場合がある。被転写媒体とトナー画像との密着性を良くして良好な転写効率を得るには、例えば、トナー層の厚みは薄い方が良く又、隣り合うトナー層間の周期は長い方が良くなる傾向にある。このため、単一感光体上に４色が重なったフルカラートナー画像を形成しトナー層が厚くなると、転写性に劣る傾向がある。
【００１０】
他方、例えば（非特許文献１）では、色毎に網点のスクリーン角度を変えるようディザリング処理をしてモアレの低減を図っているが、このようにしてもモアレを解消する事は不可能であり、更に前述のカラートラッピング現象が加わると、モアレがより顕著に成ってしまい、画質を損ねるという問題を生じていた。
【００１１】
【発明が解決しようとする課題】
そこで本発明は、上記課題を解決するものであり、画像形成体上で複数の色剤による画像を色重ねする場合の混色による色剤の劣化を防止して色剤の長寿命化を図り、電子写真装置においては既にトナー画像が形成された上からの露光々量の低下による色再現性の低下あるいは転写効率の低下を防止する。更には、画像形成体に複数の色剤による画像を色重ねする場合のカラートラッピングにより助長されるモアレを低減して、高速化を損なうことなく高画質のカラー画像を得る画像形成方法を提供することを目的とする。
【００１２】
【課題を解決するための手段】
本発明は上記課題を解決するための手段として、複数の画像形成体上に形成される画像を被転写材に多重転写して多色画像を得る画像形成方法において、同一の前記画像形成体上に形成する複数色の前記画像のスクリーン角度を同一とし、前記複数の画像形成体の、各画像形成体毎に、前記画像のスクリーン角度差を設けるものである。
【００１３】
又本発明は上記課題を解決するための手段として、複数の画像形成体上に形成される画像を被転写材に多重転写して多色画像を得る画像形成方法において、前記複数の画像形成体上に形成する複数色の前記画像のスクリーン角度を同一とするものである。
【００１４】
上記構成により本発明は、フルカラー画像形成時の転写性及び高速化を損なうことなく、良好な色再現性を得ると共に、カラートラッピングを原因として発生するモアレの目立ちを少なくして画質を向上し、更にはトナーの混色を防止して現像剤の長寿命化を図る画像形成方法を提供するものである。
【００１５】
【発明の実施の形態】
先ず本発明が解決しようとする、モアレの目立ちの原理について説明する。例えば、網点方式によるディザリング処理を実施する時に、色毎にスクリーン角度が完璧に同一であればモアレは発生しない。しかし各種装置における色重ね時に、完璧にスクリーン角度を同一に保持して重ね合わせることが難しく、微小な角度誤差により非常に目立つモアレが発生する。（ここでスクリーン角度とは、画像を形成する色剤による網点の配列方向である。）
この微小な角度誤差によるモアレを目立たないようにするため、例えば電子写真装置や印刷装置においては、従来、イエロー（Ｙ）、シアン（Ｃ）、マゼンタ（Ｍ）、ブラック（ＢＫ）の４色を形成する時は、各色は図１に示すようなスクリーン角度に設定している。即ち、図１（ａ）に示すようにイエロー（Ｙ）の網点１はスクリーン角度０°とし、図１（ｂ）に示すようにシアン（Ｃ）の網点２はスクリーン角度１５°とし、図１（ｃ）に示すようにマゼンタ（Ｍ）の網点３はスクリーン角度７５°とし、図１（ｄ）に示すようにブラック（ＢＫ）の網点４はスクリーン角度４５°としていた。
【００１６】
このようにスクリーン角度差を設ける理由として、第１は、モアレの安定性確保である。本来各色のスクリーン角度を同一にすればモアレは発生しない。しかし各種装置における色重ね時に、完璧にスクリーン角度を同一に保持して重ね合わせることが難しく、微小なスクリーン角度誤差により非常に目立つモアレが発生してしまう。一方、色毎に３０°のスクリーン角度差を設けて重ね合わせた場合、完璧に３０°のスクリーン角度差が保持された場合にモアレは発生するが、３０°から微小な角度誤差を生じるとモアレの目立ち具合の変化が小さい。一般にはモアレの目立ち具合よりもモアレの安定性を重視するため、近年色毎にスクリーン角度を変えて重ね合わせるのが主流となっている。
【００１７】
第２は、色再現の安定性確保である。色を重ね合わせる場合に、前述したようにスクリーン角度差の完璧な保持性の困難性のほかに、位置の保持性の困難性がある（いわゆる各色の平行移動による色ズレ）。スクリーン角度を同一にした場合、色ズレは全ての網点が重なったり、重ならなかったりすることにつながり、色再現の安定性に乏しくなる。一方スクリーン角度差を設けた場合、網点の重なりがランダムであるため、色ズレ時における網点の重なりの変化もランダムになり、色再現安定性に優れる。
【００１８】
第３は、色再現性の向上である。網点が完全に重なっている場合の色再現性は加法混色的になり、色ズレにより網点が並置している場合の色再現性は減法混色的になる。スクリーン角度を変えて網点を重ねた場合、網点は重なる部分と重ならない部分が混在するため、減法混色的色再現と加法混色的色再現が混在し、色再現性に長ける。以上の結果を図２に示す。
【００１９】
他方、ＩＯＩプロセスではカラートラッピング現象を生じる。カラートラッピングとは、例えば網点方式ディザリング処理法において、イエロー（Ｙ）とシアン（Ｃ）の２色重ねＩＯＩプロセスをスクリーン角度差を設けて行った場合に、２色の網点が重なる部位では、本来はイエロー（Ｙ）の上に露光光量に応じた適量のシアン（Ｃ）が現像されるべきところを、シアンの現像量が少なかったり、あるいは必要以上に大量にシアンが現像されるという現像不良を生じる現象をいう。
【００２０】
例えば、イエロー（Ｙ）とシアン（Ｃ）に３０°のスクリーン角度差を設け、カラートラッピングを生じない場合の画像結果とカラートラッピングを生じた場合の画像結果を図３に示す。イエロー（Ｙ）とシアン（Ｃ）の網点が重なる周期はスクリーン線数の数倍となり、この網点の重なり部位におけるカラートラッピングによる現像不良は長周期の非常に目立ちやすいモアレの発生原因となる。カラートラッピングを起こしていない図３（ａ）に比べて、カラートラッピングによりイエロー（Ｙ）の上にシアン（Ｃ）が現像されていない図３（ｂ）はモアレの発生が顕著になっていることが分かる。
【００２１】
そこで本発明は、上記各種原理に基づき為されたものである。以下に本発明を図４乃至図９に示す実施の形態を参照して詳細に説明する。図４は本発明の画像形成方法を実施するための画像形成装置である湿式のフルカラー電子写真装置を示す。画像形成部１０の被転写材であるシート紙Ｐの用紙搬送経路８に沿って第１ステーション１００及び第２ステーション２００が配列されている。各ステーション１００、２００は、第１の画像形成体である第１の感光体ドラム１１と第２の画像形成体である第２の感光体ドラム２１を有する。第１の感光体ドラム１１及び第２の感光体ドラムは、同一構造であり、例えばアルミニウム等からなる導電性ドラム上に、１０〜４０μｍ厚の有機系もしくはアモルファスシリコン系の感光層を形成し、好ましくは更にその上にフッ素系樹脂、シリコーン系樹脂等からなる保護層を形成して成っている。
【００２２】
第１の感光体ドラム１１周囲には、矢印ｓ１方向の回転に沿って第１色の色剤であるマゼンタ（Ｍ）及び、マゼンタ（Ｍ）より明度が低い第２色の色剤であるブラック（ＢＫ）の液体トナーを用いて第１及び第２の画像である、マゼンタ（Ｍ）及びブラック（ＢＫ）のトナー画像の形成を行う第１及び第２の画像形成ユニット１２Ｍ、１２ＢＫが配列されている。
【００２３】
第２の感光体ドラム２１周囲には、矢印ｓ２方向の回転に沿って第３色の色剤であるイエロー（Ｙ）及び、イエロー（Ｙ）より明度が低い第４色の色剤であるシアン（Ｃ）の液体トナーを用いて第３及び第４の画像である、イエロー（Ｙ）及びシアン（Ｃ）のトナー画像の形成を行う第３及び第４の画像形成ユニット１２Ｙ、１２Ｃが配列されている。各画像形成ユニット１２Ｍ〜１２Ｃは、それぞれ用いる液体トナーの色が異なるものの、それ以外は基本的に同様の構成である。第１乃至第４の画像形成ユニット１２Ｍ〜１２Ｃは、第１あるいは第２の感光体ドラム１１、２１周囲に順次周知のコロナ帯電器もしくはスコロトロン帯電器などからなる帯電装置１３Ｍ〜１３Ｃ、露光装置１４Ｍ〜１４Ｃ、現像装置１８Ｍ〜１８Ｃを有する。
【００２４】
露光装置１４Ｍ〜１４Ｃは、６７０ｎｍの波長を持つレーザ光学系を使用して、画像情報に応じて変調されディザリング処理されたマゼンタ（Ｍ）〜シアン（Ｃ）の光信号に対応する光照射を第１あるいは第２の感光体ドラム１１、２１に選択的に行い、第１あるいは第２の感光体ドラム１１、２１の露光された部分の電位を減衰させ静電潜像を形成する。
【００２５】
図５に、ディザリング処理を行うディザリング処理装置５０の概略構成図を示す。ディザリング処理装置５０チャンネル分解装置５１は、ａｄｏｂｅ社製Ｐｈｏｔｏｓｈｏｐ６．０を用いた。ディザリング処理装置５０の入力側には、コンピュータ端末あるいは読み取り装置等の入力装置５１からの１２００ｄｐｉＣＭＹＫの元画像入力情報を、色分解するチャンネル分解装置５２が接続される。ディザリング処理装置５０は、演算部５０ａにて色分解された画像情報をそれぞれハーフトーン処理する。網点形状は円を用い、スクリーン線数は１５０ｌｉｎｅｓ／ｉｎｃｈに設定する。
【００２６】
演算部５０ａでは画像情報の、濃度、網点面積率、スクリーン角度及び平行移動を演算処理し、出力部５０ｂから各露光装置１４Ｙ〜１４ＢＫに出力する。元画像には、財団法人日本規格協会発行の「高精細カラーディジタル標準画像データＩＳＯ／ＪＩＳ−ＳＣＩＤ」のうち、Ｎ３．ＴＩＦ、Ｓ６ＴＩＦ及びＳ８．ＴＩＦの３つを用いた。
【００２７】
演算部５０ａは、マゼンタ（Ｍ）とブラック（ＢＫ）のスクリーン角度を同じ第１のスクリーン角度である０°になるよう制御し、イエロー（Ｙ）とシアン（Ｃ）のスクリーン角度を同じ第２のスクリーン角度である１５°になるよう制御する。又、マゼンタ（Ｍ）とブラック（ＢＫ）のトナー画像を相互に平行移動してずらすと共に、イエロー（Ｙ）とシアン（Ｃ）のトナー画像を相互に平行移動してずらすよう制御する。マゼンタ（Ｍ）とブラック（ＢＫ）あるいはイエロー（Ｙ）とシアン（Ｃ）のスクリーン角度を同一とし、位置をずらす場合には以下のような方法で行う。まず、ディザリング処理前の元画像において、ずらしたい色を所望量だけずらす。その後それぞれの色をハーフトーン化し、再びずらした色を元の位置に戻す。
【００２８】
尚試験上、スクリーン角度が共に１５°のイエロー（Ｙ）とシアン（Ｃ）を平行移動せずに網点位置を一致させて表示した場合は、図７（ａ）に示す様な画像を得られ、イエロー（Ｙ）とシアン（Ｃ）を平行移動して網点位置をずらして表示した場合は、図７（ｂ）に示す様な画像を得られる。
【００２９】
現像装置１８Ｍ〜１８Ｃは、各色の液体トナーを収容し、バイアス電圧が印加され、液体現像剤を第１あるいは第２の感光体ドラム１１、１２表面に供給してトナー画像を形成する現像ローラ１６Ｍ〜１６Ｃ及び、現像後のトナー画像のかぶり取り及び溶媒除去を同時に行うスクイーズローラ１７Ｍ〜１７Ｃを有する。現像装置１８Ｍ〜１８Ｃの、現像ローラ１６Ｍ〜１６Ｃへの液体トナー供給や現像装置１８Ｍ〜１８Ｃからの液体トナー排出は図示しないポンプおよび液循環系によって制御されている。現像ローラ１６Ｍ〜１６Ｃは、感光体ドラム１１、１２表面に対して約１２０μｍのギャップを介して設けられた金属製のローラであり、クリーニングローラ１９Ｍ〜１９Ｃが接触される。
【００３０】
液体トナーは、絶縁性の炭化水素系溶媒中に顔料成分を含有した体積平均粒子径０．８μｍのトナー粒子を分散させたものであり、溶媒中で帯電（ここではプラス帯電とする）している。トナー粒子はアクリル系樹脂（例えばガラス転移点が４５℃の熱可塑性樹脂）をバインダ樹脂としマゼンタ、イエロー、シアン、あるいはブラックの着色用顔料と帯電制御剤とをそれぞれに添加した混合物から成っている。スクイーズローラ１７Ｍ〜１７Ｃは、第１あるいは第２の感光体ドラム１１、２１表面に対して約５０μｍのギャップをもって対向する金属製のローラであり、ブレード２０Ｍ〜２０Ｃが接触される。
【００３１】
第１の感光体ドラム１１周囲の第１及び第２の画像形成ユニット１２Ｍ、１２ＢＫの下流及び、第２の感光体ドラム２１周囲の第３及び第４の画像形成ユニット１２Ｙ、１２Ｃの下流には、現像装置１８Ｍ〜１８Ｃによる現像後、スクイーズした液体のトナー画像に接触して余剰の溶媒を吸引することによりトナー画像の乾燥を加速するための第１あるいは第２の吸引ローラ２２、２３が設けられる。吸引ローラ２２、２３下流には、空気流を供給してほぼ完全に溶媒を除去するための第１あるいは第２の乾燥装置２４、２６、溶媒を除去したトナー画像を用紙Ｐに多重転写するための転写装置２７、感光体ドラム１１、２１上の残留トナーを回収するための感光体クリーナ４６、４７、及び残留電荷を除去する消去ランプ４８、４９が設けられている。
【００３２】
吸引ローラ２２、２３は、中空の金属軸上に導電性のスポンジ層を設けた２層構造のローラであり、スポンジ表面から中空軸内部まで流体貫通している。乾燥装置２４、２６は、感光体ドラム１１、２１表面から１ｍｍ程度のギャップをもって設けられ、感光体ドラム１１、２１表面に４〜６ｍ３／ｍｉｎ程度の空気流を供給する。
【００３３】
転写装置２７は、第１及び第２の感光体ドラム１１、２１周囲の一次転写位置に夫々接触する被転写材である第１及び第２の中間転写ローラ３０、３１、用紙搬送経路８を介して中間転写ローラ３０、３１周囲の二次転写位置に接触し中間転写ローラ３０、３１を夫々感光体ドラム１１、２１に加圧接触させる加圧ローラ３２、３３を有する。転写装置２７は、感光体ドラム１１、２１上に形成されるトナー画像を、トナー粒子の粘着力、圧力及びせん断応力を利用して中間転写ローラ３０、３１に一次転写した後、被転写材である用紙Ｐに二次転写する。中間転写ローラ３０、３１周囲の二次転写位置下流には、用紙Ｐにトナー画像を転写終了後、中間転写ローラ３０、３１表面に残留される残留トナー等の付着物を除去する、中間転写クリーナ３４、３６が設けられている。
【００３４】
中間転写ローラ３０、３１は、図６に示すようにハロゲンランプ等からなるヒータ３７を内蔵する金属の中空ローラ表面に、厚み２００μｍ程度のシリコーンゴム弾性層３８を形成して成り、中間転写ローラ３０、３１表面は約８０℃に維持される。加圧ローラ３２、３３は、ハロゲンランプ等からなるヒータ４０を内蔵する金属の中空ローラ４１からなり表面温度は１２０℃に維持され、感光体ドラム１１、２１と、中間転写ローラ３０、３１間にかける圧力は１０Ｋｇ／ｃｍ２程度となっている。
【００３５】
また、感光体ドラム１１、２１の表面速度ｖ１に対して中間転写ローラ３０、３１の表面速度ｖ２は、ｖ２／ｖ１＝０．９８となるようわずかに遅く設定され、感光体ドラム１１、２１から中間転写ローラ３０、３１への一次転写時、トナー画像には圧力及びせん断応力が加わる。
【００３６】
次に作用について述べる。画像形成工程が開始されると、先ず第１ステーション１００において、第１の感光体ドラム１１が矢印ｓ１方向に回転し、これと同時に第１及び第２の画像形成ユニット１２Ｍ、１２ＢＫによるトナー画像形成操作が成される。先ず第１の画像形成ユニット１２Ｍで、帯電装置１３Ｍによって第１の感光体ドラム１１表面を＋８００Ｖ程度に一様に帯電する。次に露光装置１４Ｍはディザリング処理装置５０により後述するようにディザリング処理されたマゼンタ（Ｍ）の画像情報に対応する露光々を第１の感光体ドラム１１に選択的に照射して画像部を＋２００Ｖ程度まで電位を低下させ、第１の感光体ドラム１１上にマゼンタ（Ｍ）の画像情報に対応する静電潜像を形成する。
【００３７】
現像装置１８Ｍでは現像ローラ１６Ｍが第１の感光体ドラム１１と同方向にその２倍程度の移動速度で回転しており、現像ローラ１６Ｍと第１の感光体ドラム１１表面のギャップ領域には、マゼンタ（Ｍ）の液体トナーによるメニスカスが形成される。
【００３８】
この時現像ローラ１６Ｍには＋６００Ｖ程度の電圧が印加され、第１の感光体ドラム１１と現像ローラ１６Ｍとの間のマゼンタ（Ｍ）の液体トナーによるメニスカス領域を静電潜像が通過すると、画像部においては現像ローラ１６Ｍから第１の感光体ドラム１１表面へ向う方向に、非画像部においては第１の感光体ドラム１１表面から現像ローラ１６Ｍへ向う方向に電界が形成される。従って、プラス帯電したマゼンタ（Ｍ）の液体トナー中のトナー粒子は画像部にのみ付着する。この結果、現像ローラ１６Ｍ通過後には第１の感光体ドラム１１上にまず第１色目であるマゼンタ（Ｍ）のトナー画像が形成される。
【００３９】
これにより、画像部の電位は＋３００Ｖ程度まで上昇する。次にスクイーズローラ１７Ｍには＋６００Ｖ程度の電圧が印加される。液体トナー画像がスクイーズローラ１７Ｍに接近すると、非画像部においては第１の感光体ドラム１１表面からスクイーズローラ１７Ｍへ向う方向に電界が形成され、逆に画像部においてはスクイーズローラ１７Ｍから第１の感光体ドラム１１への方向に電界が形成される。この結果、非画像部においては浮遊している帯電トナー粒子が回収され、画像部においては像を形成しているトナー粒子が第１の感光体ドラム１１表面に押し付けられる。
【００４０】
また、スクイーズローラ１７Ｍは第１の感光体ドラム１１の回転と逆方向にその３倍程度の速度で回転しており、流体的な絞り効果が作用して、主に液体トナー画像の上層部にある溶媒が除去される。この結果、１μｍ以上ある液体トナーの厚みは半分以下になる。第１の感光体ドラム１１表面から回収された溶媒及び浮遊トナーはブレード２０Ｍにより掻き取られて、図示しない回収部に回収される。
【００４１】
次に第１の感光体ドラム１１上には、第２色目のブラック（ＢＫ）のトナー画像形成が同様に行われ、マゼンタ（Ｍ）のトナー画像の上にブラック（ＢＫ）のトナー画像が重ね合わされる。すなわち第１の感光体ドラム１１表面のマゼンタ（Ｍ）のトナー画像の上から、帯電装置１３ＢＫにより帯電が成される。その後マゼンタ（Ｍ）のトナー画像の上から、露光装置１４ＢＫにより、ブラック（ＢＫ）の画像情報に対応する露光々を第１の感光体ドラム１１に選択的に照射してブラック（ＢＫ）の静電潜像を形成する。この露光装置１４ＢＫによる露光々は、ディザリング処理装置５０により後述するようにディザリング処理されている。
【００４２】
尚、このブラック（ＢＫ）の露光装置１４ＢＫによる露光時、マゼンタ（Ｍ）のトナー画像は波長６２０ｎｍ以上の領域では非常に高い透過率を示すので、この領域の波長を持つ露光々を使用すればほぼ問題なくブラック（ＢＫ）の静電潜像を得られる。本実施の形態ではブラック（ＢＫ）の露光装置１４ＢＫの光源として６７０ｎｍの波長を持つレーザ光学系を使用していることから、マゼンタ（Ｍ）のトナー画像の上からであっても、ブラック（ＢＫ）の露光々は、露光量を低減されることなく良好な静電潜像を形成出来る。次いで現像装置１８ＢＫを経て、第１の感光体ドラム１１上には、マゼンタ（Ｍ）、ブラック（ＢＫ）のトナー画像が、重ね合わされる。
【００４３】
この後、第１の感光体ドラム１１上のトナー画像は吸引ローラ２２によりトナー画像中の余剰の溶媒を吸い取られる。この時、吸引ローラ２２表面には約＋８００Ｖの電位を与えており、トナー画像が吸引ローラ２２のスポンジ表面に移行するのを防いでいる。次いで乾燥装置２４を経てトナー画像をほぼ乾燥する。この乾燥時、従来の同一感光体ドラム上に４色のトナー画像を色重ねした場合に比し、乾燥速度の短縮を得られる。
【００４４】
この後、マゼンタ（Ｍ），ブラック（ＢＫ）の２色トナー画像は、加圧ローラ３２により第１の感光体ドラム１１側に１０Ｋｇ／ｃｍ２程度の圧力で圧接され、第１の感光体ドラム１１の表面速度ｖ１に対してｖ２／ｖ１＝０．９８となる速度ｖ２で搬送される第１の中間転写ローラ３０に、加圧力及び熱の作用に更にせん断応力を加えて一次転写される。この一次転写時、第１の感光体ドラム１１及び第１の中間転写ローラ３０間にせん断応力が加わることから、トナー画像の転写効率は飛躍的に向上する。次に加圧ローラ３２からの圧力及び熱の作用により第１の中間転写ローラ３０上のトナー画像は、矢印ｕ方向に搬送される用紙Ｐに二次転写され、用紙Ｐ上にマゼンタ（Ｍ），ブラック（ＢＫ）の２色トナー画像を形成される。
【００４５】
尚、第１の中間転写ローラ３０へのトナー画像の一次転写終了後、第１の感光体ドラム１１は感光体クリーナ４６により残留トナー画像を除去され、消去ランプ４８により残留電荷を消去されて一連の画像形成プロセスを終了し次の画像形成プロセスに備える。又用紙Ｐへの二次転写終了後、第１の中間転写ローラ３０は、中間転写クリーナ３４により表面の付着物を除去される。
【００４６】
第２ステーション２００においては、第１ステーション１００における用紙Ｐへの２色トナー画像形成と同様にして、第３の画像形成ユニット１２Ｙを用いて第２の感光体ドラムにイエロー（Ｙ）のトナー画像を形成後、第４の画像形成ユニット１２Ｃを用いてイエロー（Ｙ）のトナー画像の上からシアン（Ｃ）のトナー画像が形成される。
【００４７】
ここで第３の画像形成ユニットのイエロー（Ｙ）の露光装置１４Ｙは、ディザリング処理装置５０により後述するようにディザリング処理されたイエロー（Ｙ）の画像情報に対応する露光々を第２の感光体ドラム２１に選択的に照射して、第２の感光体ドラム２１上にイエロー（Ｙ）の静電潜像を形成する。
【００４８】
又第４の画像形成ユニットのシアン（Ｃ）の露光装置１４Ｃは、ディザリング処理装置５０により後述するようにディザリング処理されたシアン（Ｃ）の画像情報に対応する露光々をイエロー（Ｙ）のトナー画像の上から、第２の感光体ドラム２１に選択的に照射して第２の感光体ドラム２１上にシアン（Ｃ）の静電潜像を形成する。このシアン（Ｃ）の露光装置１４Ｃによる第２の感光体ドラム２１の露光時、第２の感光体ドラム２１表面には、イエロー（Ｙ）のトナー画像が形成されるものの、イエロー（Ｙ）のトナー画像は６７０ｎｍの波長領域では非常に高い透過率を示すので、６７０ｎｍの波長を持つレーザ光学系を使用する露光装置１４Ｃによるシアン（Ｃ）の露光操作は、イエロー（Ｙ）のトナー画像に露光々量を低減されることなく良好な静電潜像を得られる。
【００４９】
次いで第２ステーション２００の吸引ローラ２３、乾燥装置２６により第２の感光体ドラム２１上に形成されたイエロー（Ｙ）、シアン（Ｃ）の２色トナー画像を乾燥後、加圧力及び熱の作用に更にせん断応力を加えて２色トナー画像を第２の中間転写ローラ３１に一次転写する。そして第２の中間転写ローラ３１上の２色トナー画像は、加圧ローラ３３の圧力及び熱の作用により、第１ステーション１００側から矢印ｕ方向に搬送され、既にマゼンタ（Ｍ），ブラック（ＢＫ）の２色トナー画像が形成されている用紙Ｐに重ねて二次転写して、用紙Ｐ上にフルカラーのトナー画像を完成する。
【００５０】
又トナー画像の一次転写終了後、第２の感光体ドラム２１は感光体クリーナ４７により残留トナー画像を除去され、消去ランプ４９により残留電荷を消去される。更に用紙Ｐへの二次転写終了後、第２の中間転写ローラ３１は、中間転写クリーナ３６により表面の付着物を除去される。
【００５１】
この実施の形態にて、ディザリング処理装置５０による、ディザリング設定値を種々変更して画像情報を作成し、画像出力試験を行い、用紙Ｐに出力されたフルカラーのトナー画像のモアレ、色再現安定性、階調性、圧力転写特性、総合画質を相対比較し評価したところ図８に示す試験結果を得られた。
（試験１）
マゼンタ（Ｍ）とブラック（ＢＫ）をスクリーン角度差を設けずに共にスクリーン角度０°とし、イエロー（Ｙ）とシアン（Ｃ）をスクリーン角度差を設けずに共にスクリーン角度１５°とする。これにより、マゼンタ（Ｍ）及びブラック（ＢＫ）と、イエロー（Ｙ）及びシアン（Ｃ）とでは１５°のスクリーン角度差を有する。
【００５２】
又図９に示すようにマゼンタ（Ｍ）の網点６０Ｍの間にブラック（ＢＫ）の網点６１ＢＫがほぼ均等に分散される様に、マゼンタ（Ｍ）の網点に対して、ブラック（ＢＫ）の網点を平行移動する。同様に、イエロー（Ｙ）の網点の間にシアン（Ｃ）の網点がほぼ均等に分散される様に、イエロー（Ｙ）の網点に対してシアン（Ｃ）の網点を平行移動する。
（試験２）
マゼンタ（Ｍ）とブラック（ＢＫ）及びイエロー（Ｙ）とシアン（Ｃ）のスクリーン角度差は（試験１）と同じに設定する。
【００５３】
又マゼンタ（Ｍ）とブラック（ＢＫ）は平行移動せずに網点位置を一致させる。同様に、イエロー（Ｙ）とシアン（Ｃ）も平行移動せずに網点位置を一致させる。
（試験３）
マゼンタ（Ｍ）、ブラック（ＢＫ）、イエロー（Ｙ）及びシアン（Ｃ）の全てにスクリーン角度差を設けずに共にスクリーン角度０°とする。
【００５４】
又マゼンタ（Ｍ）とブラック（ＢＫ）及びイエロー（Ｙ）とシアン（Ｃ）の平行移動は（試験１）と同じに設定する。
（試験４）
マゼンタ（Ｍ）とブラック（ＢＫ）及びイエロー（Ｙ）とシアン（Ｃ）のスクリーン角度は（試験３）と同じに全て０°に設定する。
【００５５】
又マゼンタ（Ｍ）とブラック（ＢＫ）は平行移動せずに網点位置を一致させる。同様に、イエロー（Ｙ）とシアン（Ｃ）も平行移動せずに網点位置を一致させる。
【００５６】
これに対して従来から用いられる標準的なディザリング設定を行ったものを（比較例）として、マゼンタ（Ｍ）のスクリーン角度４５°、ブラック（ＢＫ）のスクリーン角度１５°とし、イエロー（Ｙ）のスクリーン角度０°、シアン（Ｃ）のスクリーン角度７５°とする。本（比較例）ではマゼンタ（Ｍ）とブラック（ＢＫ）は平行移動しない。同様に、イエロー（Ｙ）とシアン（Ｃ）も平行移動しない。
【００５７】
この結果以下のことが判明した。
（モアレ）
４色全てのスクリーン角度を同一とした試験３と試験４では、モアレが全く発生せず、高解像性の画像出力が達成された。原理で述べたように、スクリーン角度を一致するように設定した場合、ほんの少しの角度誤差が目立ちやすいモアレを発生させる。しかしながら本実施の形態では第１あるいは第２の感光体ドラム１１、２１上でトナー画像を重ねあわせるＩＯＩプロセスを採用しており、他の重ね合わせプロセスに比べて重ね合わせ精度を高く保持できる。この結果モアレを生じることなく高解像性（画像の粗さが少ない）を得られた。又、第１の感光体ドラム１１上のトナー画像と第２の感光体ドラム２１上のトナー画像とがスクリーン角度差を有する試験１及び試験２は、２次モアレを生じ試験３及び試験４に比し高解像性が低下した。尚４色全てにスクリーン角度差を設けた比較例は、４次モアレが発生し、試験１及び試験２に比べても更に高解像性が劣った。
（色再現安定性）
原理で述べたように色再現安定性は、色ズレ時に起こる網点の重なり具合の変化に起因する。この結果、試験１と試験２は良好な色再現安定性を得られた。これは、第１にマゼンタ（Ｍ）とブラック（ＢＫ）及びイエロー（Ｙ）とシアン（Ｃ）は、それぞれ同一の感光体ドラム１１、２１上で重ねるＩＯＩ方式を採用しているため、色ズレが起こりにくいこと。第２に第１の感光体ドラム１１上のマゼンタ（Ｍ）とブラック（ＢＫ）のトナー画像と、第２の感光体ドラム２１上のイエロー（Ｙ）とシアン（Ｃ）のトナー画像を用紙Ｐ上で重ね合わせるため、多少の色ズレが発生することがあるが、第１及び第２の感光体ドラム１１、２１の間ではスクリーン角度差を設けているため、色再現安定性には影響を及ぼさないことによる。尚比較例も多数枚出力時における色変化が小さく良好な色再現安定性を得られる。
（階調性）
平行移動によるズラシをしていない試験２と試験４では、とりわけ自然画の様な単色領域の少ない画像ではほとんどの網点面積率の組み合わせにおいてカラートラッピングの様子が変化しないため、滑らかな階調の画像出力が得られた。一方平行移動によるズラシを施した試験１と試験３では、同一感光体ドラム上の２色の網点は、２色ともに網点面積率が低い場合は２色の網点は全く重ならず、カラートラッピングの影響を受けないが、１色目の網点面積率が高い場合は２色目はその影響を受けることになる。よって１色目の網点面積率により２色目の現像特性が変化してしまい、結果として滑らかな階調性が失われる。例えばシアンの階調性がイエローの網点面積率に影響を受け、Ｓ６．ＴＩＦのグリーンのグラデーションパッチが不自然な画像となってしまう。
（圧力転写特性）
感光体ドラム１１、２１から中間転写ローラ３０、３１への圧力転写にあっては、中間転写ローラ３０、３１とトナー画像との密着性が転写特性に影響を及ぼす。従って、トナー層が薄く、隣り合うトナー層間の周期は長い方が良くなる傾向にある。ズラシを施した試験１と試験３では２色の網点が重なる確率が比較的少なく、また網点が均一に配置されている。そのため中間転写ローラ３０、３１とトナー画像の密着性が良好となり、感光体上の転写残りがほとんどなく転写特性の良い高画質出力が達成された。
（総合画質）
以上の各種特性をまとめて総合評価を行った。総合評価は定性的な評価であり、見た目では４つの各種特性のうち、モアレが最も大きく画質に寄与していることから、モアレの目立たないものが優先された。この結果、試験１〜試験３は良好な総合評価を得られた。又、試験４は、転写性に多少劣るものの、比較例に比べてモアレが目立たず、比較例に比し、良好な画質を得られた。
【００５８】
以上の構成により、本実施の形態にあっては、第１ステーション１００及び第２ステーション２００にて、第１の感光体ドラム１１に、マゼンタ（Ｍ）とブラック（ＢＫ）のトナー画像を又、第２の感光体ドラム２１にイエロー（Ｙ）とシアン（Ｃ）のトナー画像をＩＯＩプロセスを用いて形成した後、用紙Ｐ上で４色を重ねて、フルカラートナー画像を得ている。従って各感光体ドラム１１、２１上では２色のトナー画像を重ねるのみであることから、従来の同一感光体ドラム上に４色のトナー画像を重ねる場合に比し、先に形成したトナー画像により露光々量が低減されるという影響をほとんど受けることがなく、赤外領域の露光々源を用いたり、露光パワーを非常に大きくしたりすることなく十分な露光々量による良好な静電潜像を得られ、色再現性の良い高画質のカラー画像を得られる。
【００５９】
更には、各感光体ドラム１１、２１上では２色のトナー画像を重ねるのみであることから、各ステーション１００、２００での画像形成時間の短縮を得られると共に、転写前にトナー画像の乾燥に要する時間の短縮も図れ、フルカラー画像形成の高速化を図れる。
【００６０】
又、各ステーション１００、２００での色重ねが２色づつであることから、従来の４色を色重ねする装置に比して混色による液体トナーの劣化を低減出来、液体トナーの長寿命化を得られる。更に、二次転写時の用紙Ｐ上での色重ねを、２色ずつ色重ねした状態で行うことから、従来の４連タンデム方式のように４色を別々に色重ねする場合に比し、転写時の位置ずれ補正を格段に容易に出来る。
【００６１】
又、本実施の形態では各感光体ドラム１１、２１上で各２色のトナー画像をＩＯＩ形成する時に、少なくとも各感光体ドラム１１、２１上においては２色のスクリーン角度を同一とするようディザリング処理している。従って、モアレの目立ちが少ない解像性の高い高画質を得られる。
【００６２】
更に必要に応じて、２色のトナー画像の網点を平行移動によりズラシ、あるいは平行移動せずに一致させるようディザリング処理している事からも、よりモアレの目立ちが少ない解像性の高い高画質を得られる。
【００６３】
又、本実施の形態では液体トナーを圧力転写方式により中間転写ローラ３０、３１を経て用紙Ｐに転写するので、転写時に溶媒を残す電界転写方式に比しトナー画像の流れや拡散による画像劣化を生じることなく、良好な転写画像を得られる。
【００６４】
尚本発明は上記実施の形態に限定されることなく、その趣旨を変えない範囲での変更は可能であって、例えば、現像剤は、液体現像剤で無く粉体現像剤であっても良いし、前述の実施の形態の４色の現像剤の２色ずつの組み合わせも限定されないが、後続の画像形成ユニットでの露光時に露光々量が低減されない事が望ましく、例えば実施の形態において、先行して形成されるトナー画像の透過率が高くなるよう、第１ステーションでイエロー（Ｙ）、ブラック（ＢＫ）の順にトナー画像を形成し、第２ステーションでマゼンタ（Ｍ）、シアン（Ｃ）の順にトナー画像を形成するようにしても良い。
【００６５】
又、４色のフルカラートナー画像を得る際に、図１０に示す他の変形例のようにシート紙Ｐの用紙搬送経路７１に沿って配列される第３乃至第５のステーション３００、４００、５００を用いても良い。この変形例の第３のステーション３００では、イエローとマゼンタの画像形成ユニット７０Ｙ、７０Ｍによりイエローとマゼンタを共にスクリーン角度０°でＩＯＩ画像形成する。また第４のステーション４００ではシアンの画像形成ユニット７０Ｃによりスクリーン角度１５°でシアンの単色画像形成を行い、第５のステーション５００でブラックの画像形成ユニット７０ＢＫによりスクリーン角度１５°でブラックの単色画像形成を行う。この後、第３乃至第５のステーション３００〜５００上のトナー画像を各中間転写ローラ７２、７３、７４を経て用紙Ｐに二次転写しフルカラー画像を得る。この変形例においても、第３のステーション３００におけるイエローとマゼンタのスクリーン角度を同一とすることからモアレの目立ちが無く、高画質を得られる。
【００６６】
又同一画像形成体上にスクリーン角度が同一の３色のトナー画像を形成する等しても良い。又、ディザリング処理は、同一画像形成体上に形成される複数のトナー画像のスクリーン角度が同一であれば、そのスクリーン角度の値は限定されないが、角度誤差を生じた場合でもモアレの目立ちが少ない値がより好ましい。更に、複数のトナー画像の網点の平行移動によるズラシ量等も任意である。
【００６７】
更に、画像形成装置も電子写真方式に限定されず、同一の画像形成体上に直接複数色の画像を形成してカラー画像を得るものであれば良い。
【００６８】
又色剤として液体現像剤を用いた場合、各画像形成体に形成されるトナー画像の被転写材への転写方式も限定されないが、非電界転写方式であれば転写時に溶媒を残したまま中間転写媒体や記録媒体に転写する必要が無く、画像流れあるいは拡散による画質劣化を防止出来、より良好な転写画像を得られる。
【００６９】
【発明の効果】
以上説明したように本発明によれば、フルカラー画像を得るために複数の画像形成体を用いてＩＯＩプロセスを行い、１つの画像形成体上への画像の色重ね数を少なくしている。従って電子写真方式にあっては従来の様に同一画像形成体に４色のトナー画像を重ねる場合に比し、露光々量の低減を補うために赤外領域の露光々源を用いたり、露光パワーを非常に大きくしたりすることなく十分な露光々量による良好な静電潜像を得られ、色再現性の良い高画質のカラー画像を得られる。又、従来の４連タンデム方式のように画像形成体上に４色のトナー画像を重ねる場合に比し、各画像形成体上での画像形成に要する時間の短縮を得られると共に、トナー画像の乾燥に要する時間の短縮も図れ、フルカラー画像形成の高速化を図れる。
【００７０】
更に、画像形成体にＩＯＩプロセスを行う際に同一の画像形成体上に形成する複数色の色剤による画像のスクリーン角度を同一とし、あるいは複数の画像形成体に形成される全ての色剤による画像のスクリーン角度を同一とする様にディザリング処理をし、更に必要に応じて各色剤の網点の平行移動によるズレを制御している。これによりモアレの目立ちが少ない解像性の高い高画質を得られる。
【００７１】
更に、同一の画像形成体に４色の色剤による画像を色重ねする場合に比し、色剤の混色の機会も低減出来、色剤の長寿命化を図れる。一方転写時には、従来の４連タンデム方式のように４色を別々に色重ねする場合に比し、ＩＯＩプロセスにより転写回数を低減出来、転写時の位置ずれ補正が格段に容易となる。
【図面の簡単な説明】
【図１】本発明の原理の説明において用いた、従来の電子写真装置の現像剤のスクリーン角度を示し（ａ）はそのイエロー（Ｙ）のスクリーン角度、（ｂ）はそのシアン（Ｃ）のスクリーン角度、（ｃ）はそのマゼンタ（Ｍ）のスクリーン角度、（ｄ）はそのブラック（ＢＫ）のスクリーン角度を示す説明図。
【図２】本発明の原理にて説明した、スクリーン角度の違いによる画質の違いを示す表である。
【図３】本発明の原理で説明したカラートラッピングの画像への影響を示し、（ａ）はカラートラッピングを生じていない画像を示す平面図、（ｂ）はカラートラッピングによりモアレが助長された画像を示す平面図である。
【図４】本発明の実施の形態のフルカラー電子写真装置の画像形成部を示す概略構成図である。
【図５】本発明の実施の形態のディザリング処理装置を示す概略ブロック図である。
【図６】本発明の実施の形態の中間転写ローラ及び加圧ローラを示す概略断面図である。
【図７】本発明の実施の形態のイエロー（Ｙ）とシアン（Ｃ）の表示試験結果を示し、（ａ）は網点位置を一致させた画像を示す平面図、（ｂ）は網点位置をずらした画像を示す平面図である。
【図８】本発明の実施の形態の、ディザリング設定値を変更し画像特性試験を行った
試験結果を示す表である。
【図９】本発明の実施の形態のマゼンタ（Ｍ）とブラック（ＢＫ）の網点位置の平行移動を示す説明図である。
【図１０】本発明の他の変形例の画像形成部を示す概略構成図である。
【符号の説明】
８…用紙搬送経路
１０…画像形成部
１１…第１の感光体ドラム
１２Ｍ〜１２Ｃ…画像形成ユニット
１３Ｍ〜１３Ｃ…帯電装置
１４Ｍ〜１４Ｃ…露光装置
１６Ｍ〜１６Ｃ…現像ローラ
１７Ｍ〜１７Ｃ…クイーズローラ
１８Ｍ〜１８Ｃ…現像装置
２０Ｙ〜２０ＢＫ…スクイーズローラ
２１…第２の感光体ドラム
２２、２３…吸引ローラ
２４、２６…乾燥装置
２７…転写装置
３０、３１…中間転写ローラ
３２、３３…加圧ローラ
５０…ディザリング処理装置
１００…第１ステーション
２００…第２ステーション
【図１】
2004122383.tif 000003
【図２】
2004122383.tif 000004
【図３】
2004122383.tif 000005
【図４】
2004122383.tif 000006
【図５】
2004122383.tif 000007
【図６】
2004122383.tif 000008
【図７】
2004122383.tif 000009
【図８】
2004122383.tif 000010
【図９】
2004122383.tif 000011
【図１０】
2004122383.tif 000012